(57)【要約】  外部機器が冷蔵庫の前方に位置する場合において、無線通信装置と外部機器との通信がヒンジ部によって妨げられない冷蔵庫を提供する。  冷蔵庫１は、貯蔵空間２３が内部に形成され貯蔵空間２３の前方に開口が形成された筐体２と、貯蔵空間２３より前方に設けられ開口を開閉する開閉扉３と、外部機器２００と電波の送受信を行い開閉扉３ａに固定されたアンテナ部１１１と、貯蔵空間２３に冷却された空気を供給する冷却装置５と、冷却装置５を制御し筐体２に固定された制御装置８と、アンテナ部１１１と制御装置８とを通信可能に接続する接続線１０と、を備え、開閉扉３ａは貯蔵空間２３の外部の空間と面し金属材料で形成された前面板３１と貯蔵空間２３の外部の空間と面し非導電性の材料で形成された操作部カバー９３とを有し、アンテナ部１１１は冷蔵庫１を前方から見た場合に前面板３１と重ならず操作部カバー９３と重なる位置に固定される。
2021024292.tif 000002
【特許請求の範囲】
【請求項１】
冷却対象を貯蔵する貯蔵空間が内部に形成され、前記貯蔵空間の前方に開口が形成された筐体と、  前記貯蔵空間より前方に設けられ、前記開口を開閉する扉と、  外部機器へ電波の送信または前記外部機器からの電波の受信を行い、前記扉に固定されたアンテナ部と、  前記貯蔵空間に冷却された空気を供給する冷却装置と、  前記冷却装置を制御し、前記筐体に固定された制御装置と、  前記アンテナ部と前記制御装置とを通信可能に接続する接続線と、を備えた冷蔵庫であり、  前記扉は、前記貯蔵空間の外部の空間と面し金属材料で形成された前面板と、前記貯蔵空間の外部の空間と面し非導電性の材料で形成されたカバー部材とを有し、  前記アンテナ部は、当該冷蔵庫を前方から見た場合に前記前面板と重ならず前記カバー部材と重なる位置に固定される冷蔵庫。
【請求項２】
前記扉は、ユーザーによる当該冷蔵庫の運転の操作を受け付ける操作部を有し、  前記操作部は、前記カバー部材と共に基板収納空間を形成する操作部ケースと、電子部品が配置され前記基板収納空間の中に位置する操作部基板と、を有し、  前記アンテナ部は、前記基板収納空間の中に位置する請求項１に記載の冷蔵庫。
【請求項３】
前記前面板は穴部が形成されており、  前記アンテナ部は、当該冷蔵庫を前方から見た場合に前記穴部と重なる位置に固定される請求項２に記載の冷蔵庫。
【請求項４】
前記扉は、前記貯蔵空間の外部の空間と面し、前記前面板の側方に取り付けられる側面部側キャップ部を有し、  前記操作部ケースは、前記側面部側キャップ部の一部である請求項２に記載の冷蔵庫。
【請求項５】
前記操作部ケースは前記前面板よりも前方へ突出する突出部が形成され、  前記基板収納空間は前記操作部ケースと前記突出部と前記カバー部材とに囲まれた空間であり、  前記アンテナ部は前記前面板よりも前方に位置する請求項２から請求項４までのいずれか一項に記載の冷蔵庫。
【請求項６】
前記扉は、前記貯蔵空間の外部の空間と面し前記前面板の上方に設けられた上面部側キャップ部を有し、  前記アンテナ部は前記上面部側キャップ部の内部に位置する請求項１に記載の冷蔵庫。
【請求項７】
前記扉は、前記前面板の後方に位置し前記貯蔵空間に面する背面板を有し、  前記背面板と前記前面板の間には扉内空間が形成され、  前記扉内空間には、前記前面板に固定された前記接続線が敷設され、発泡断熱材が配置され、  前記前面板は前記背面板よりも剛性が高い請求項１から請求項６までのいずれか一項に記載の冷蔵庫。
【請求項８】
前記扉内空間には、真空断熱材が配置され、  前記真空断熱材は前記発泡断熱材よりも前記背面板側に位置する請求項７に記載の冷蔵庫。
【発明の詳細な説明】
【技術分野】
【０００１】  本開示は冷蔵庫に関する。
【背景技術】
【０００２】  従来、特許文献１に開示される冷蔵庫のように、貯蔵室を有する筐体と、この筐体に金属製のヒンジ部を介して回動可能に設けられその回動により貯蔵室の開口部を開閉する扉と、ヒンジ部周辺に引き出された接続線と、アンテナ部（特許文献１の無線通信部が該当）を有して接続線に接続されヒンジ部の後方に位置し外部機器と通信可能な無線通信手段を備えた冷蔵庫があった。
【先行技術文献】
【特許文献】
【０００３】
【特許文献１】特開２０１５−１７７８１号公報
【発明の概要】
【発明が解決しようとする課題】
【０００４】  特許文献１に開示される冷蔵庫は、ヒンジ部が金属製であり、アンテナ部がヒンジ部の後方に位置する。このため、特許文献１に開示される冷蔵庫では、外部機器が冷蔵庫の前方に位置する場合において、アンテナ部より外部機器に送信される電波または外部機器よりアンテナ部に送信される電波の一部は金属製のヒンジ部で反射してしまう。従って、特許文献１に開示される冷蔵庫では、外部機器が冷蔵庫の前方に位置する場合において、アンテナ部と外部機器との通信がヒンジ部によって妨げられてしまう。【０００５】  本開示は、外部機器が冷蔵庫の前方に位置する場合において、アンテナ部と外部機器との通信がヒンジ部によって妨げられない冷蔵庫を提供することを目的とする。
【課題を解決するための手段】
【０００６】  本開示の一態様に係る冷蔵庫は、冷却対象を貯蔵する貯蔵空間が内部に形成され貯蔵空間の前方に開口が形成された筐体と、貯蔵空間より前方に設けられ開口を開閉する扉と、外部機器へ電波の送信または外部機器からの電波の受信を行い扉に固定されたアンテナ部と、貯蔵空間に冷却された空気を供給する冷却装置と、冷却装置を制御し筐体に固定された制御装置と、アンテナ部と制御装置とを通信可能に接続する接続線と、を備えた冷蔵庫であり、扉は貯蔵空間の外部の空間と面し金属材料で形成された前面板と貯蔵空間の外部の空間と面し非導電性の材料で形成されたカバー部材とを有し、アンテナ部は当該冷蔵庫を前方から見た場合に前面板と重ならずカバー部材と重なる位置に固定される。
【発明の効果】
【０００７】  本開示の一態様に係る冷蔵庫は、扉にアンテナ部が固定されるため、外部機器が冷蔵庫の前方に位置する場合においてアンテナ部と外部機器の通信がヒンジ部によって妨げられない効果を奏する。
【図面の簡単な説明】
【０００８】
【図１】実施の形態１に係る冷蔵庫の前面と外部機器を示した図である。
【図２】実施の形態１に係る冷蔵庫の図１におけるＡ−Ａ断面を示す断面図である。
【図３】実施の形態１に係る冷蔵庫の上面図である。
【図４】実施の形態１に係る冷蔵庫の開閉扉の前面図である。
【図５】実施の形態１に係る冷蔵庫の開閉扉の図４におけるＢ−Ｂ断面を示す断面図である。
【図６】実施の形態１に係る冷蔵庫の開閉扉の図５における領域Ｃの拡大図である。
【図７】実施の形態１に係る冷蔵庫の開閉扉の分解斜視図である。
【図８】実施の形態１に係る冷蔵庫の開閉扉の背面図である。
【図９】実施の形態２に係る冷蔵庫の開閉扉の図４におけるＢ−Ｂ断面に相当する箇所を示す断面図である。
【図１０】実施の形態２に係る冷蔵庫の開閉扉の図９における領域Ｄの拡大図である。
【図１１】実施の形態３に係る冷蔵庫の前面と外部機器を示した図である。
【図１２】実施の形態３に係る冷蔵庫の開閉扉の前面図である。
【図１３】実施の形態３に係る冷蔵庫の開閉扉の図１２におけるＥ−Ｅ断面を示す断面図である。
【図１４】実施の形態３に係る冷蔵庫の開閉扉の図１３における領域Ｆの拡大図である。
【図１５】実施の形態３に係る冷蔵庫の開閉扉の分解斜視図である。
【図１６】実施の形態３に係る冷蔵庫の開閉扉の背面図である。
【図１７】実施の形態４に係る冷蔵庫の開閉扉の前面図である。
【図１８】実施の形態４に係る冷蔵庫の開閉扉の図１７におけるＧ−Ｇ断面を示す断面図である。
【図１９】実施の形態４に係る冷蔵庫の開閉扉の図１８における領域Ｈの拡大図である。
【図２０】実施の形態４に係る冷蔵庫の開閉扉の分解斜視図である。
【図２１】実施の形態５に係る冷蔵庫の開閉扉の背面図である。
【図２２】実施の形態５に係る冷蔵庫の開閉扉の上面部側キャップ部の近傍の斜視図である。
【図２３】実施の形態５に係る冷蔵庫の開閉扉の図２１におけるＩ−Ｉ断面を示す断面図である。
【発明を実施するための形態】
【０００９】  本開示の実施の形態に係る冷蔵庫について図面に基づいて説明する。なお、本開示は以下の実施の形態のみに限定されることはなく、本開示の趣旨を逸脱しない範囲で変形または省略することが可能である。さらに、各々の実施の形態ならびに変形例に係る冷蔵庫の構成ならびに付加的な構成を適宜組み合わせることも可能である。
【００１０】実施の形態１．  図１は、実施の形態１に係る冷蔵庫の前面と外部機器を示した図である。図２は、実施の形態１に係る冷蔵庫の図１におけるＡ−Ａ断面を示す断面図である。図３は、実施の形態１に係る冷蔵庫の上面図である。実施の形態１に係る冷蔵庫１について説明する。冷蔵庫１は、筐体２と、開閉扉３と、複数の引き出し扉４と、冷却装置５と、複数のヒンジ部６と、複数の運搬ハンドル７と、制御装置８と、操作部９と、接続線１０と、無線通信装置１１とを備える。
【００１１】  筐体２は、樹脂製の内箱２０と、金属製の外箱２１と、内箱２０と外箱２１との間に断熱材２２とを有する。断熱材２２には、発泡断熱材または真空断熱材などの内箱２０ならびに外箱２１と比較して熱伝導率が低い素材が用いられる。また、筐体２の内部には貯蔵空間２３と冷却室空間２４が形成される。さらに、筐体２の一つの面には貯蔵空間２３と筐体２の外部の空間とを連通させる開口が形成される。以降の説明では、筐体２の開口が形成された部分を前面部と称する。つまり、筐体２の開口は貯蔵空間の前方に形成される。また、前面部と貯蔵空間２３を介して対向する筐体２の部分を背面部と称する。さらに、冷蔵庫１を前方から見た場合において、貯蔵空間２３の右方に位置する筐体２の部分を右側面部、貯蔵空間２３の左方に位置する筐体２の部分を左側面部、貯蔵空間２３の下方に位置する筐体２の部分を下面部、貯蔵空間２３の上方に位置する筐体２の部分を上面部、とそれぞれ称する。
【００１２】  筐体２の貯蔵空間２３は、食品などの冷却対象を貯蔵する空間である。貯蔵空間２３は、開口を除き内箱２０と外箱２１と断熱材２２とで覆われ、１つ又は複数の仕切り部材２５により、複数の貯蔵室に区画される。実施の形態１の冷蔵庫では、冷蔵室２３ａと、製氷室２３ｂと、切替室２３ｃと、冷凍室２３ｄと、野菜室２３ｅと、の５つの貯蔵室に区画される。冷蔵室２３ａは各貯蔵室のうち最も上面部側に配置される。製氷室２３ｂは冷蔵室２３ａよりも下面部側に配置される。切替室２３ｃは製氷室２３ｂの側方に隣接して配置される。冷凍室２３ｄは製氷室２３ｂおよび切替室２３ｃよりも下面部側に配置される。野菜室２３ｅは切替室２３ｃよりも下面部側に配置され、各貯蔵室のうち最も下面部側に配置される。また、冷蔵室２３ａと、製氷室２３ｂと、切替室２３ｃと、冷凍室２３ｄと、野菜室２３ｅとはそれぞれ風路によって連通する。
【００１３】  なお、切替室２３ｃは、冷凍温度帯（例えば−１８℃程度）、冷蔵温度帯（例えば３℃程度）、チルド温度帯（例えば０℃程度）、ソフト冷凍温度帯（例えば−７℃程度）等の各種温度帯に切り替えることができる。切替室２３ｃの各種温度帯の切り替えは制御装置８が冷却装置５を制御することによって行われる。
【００１４】  筐体２の冷却室空間２４は、冷却装置５の一部を収納する空間である。冷却室空間２４は野菜室２３ｅの背面部側に形成される。冷却室空間２４と貯蔵空間２３との間には少なくとも断熱材２２が配置される。冷却室空間２４には後述する冷却装置５の圧縮機５１が配置される。
【００１５】  また、筐体２の上面部の背面部側には、制御装置８を収納する凹形状の制御装置収納部２６が形成される。さらに、筐体２の上面部の背面部側には制御装置収納部２６を覆うように制御装置カバー２７が固定される。
【００１６】  開閉扉３は、冷蔵室２３ａと筐体２の外部の空間とを連通させる開口を開閉する扉である。開閉扉３はその左端部または右端部のうち一方の端部がヒンジ部６によって支持される。開閉扉３はヒンジ部６を中心としてヒンジ部６によって支持されない他方の端部が冷蔵庫１の前面部側に回転することによって、冷蔵室２３ａと筐体２の外部の空間とを連通させる開口が開かれる。実施の形態１の冷蔵庫１において開閉扉３は左面部側に位置する開閉扉３ａと右面部側に位置する開閉扉３ｂの二枚あり、左面部側に位置する開閉扉３ａの左端部がヒンジ部６によって支持され、右面部側に位置する開閉扉３ｂの右端部がヒンジ部６によって支持される。このため、左面部側に位置する開閉扉３ａは開閉扉３ａの左端部を中心に左面部側へ所定の角度範囲内で回転可能であり、右面部側に位置する開閉扉３ｂは開閉扉３ｂの右端部を中心に右面部側へ所定の角度範囲内で回転可能である。つまり、冷蔵庫１の開閉扉３は両開きの扉である。また、開閉扉３ａの詳細な構成については後述する。
【００１７】  複数の引き出し扉４は、製氷室２３ｂと筐体２の外部の空間とを連通させる開口と、切替室２３ｃと筐体２の外部の空間とを連通させる開口と、冷凍室２３ｄと筐体２の外部の空間とを連通させる開口と、野菜室２３ｅと筐体２の外部の空間とを連通させる開口と、をそれぞれ閉じる扉である。引き出し扉４は冷蔵庫１の前面部側に移動することができ、引き出し扉４が前面部側に移動することで開口が開かれる。また、引き出し扉４の背面部側には食品などを内部に収納できる容器が設けられる。容器は引き出し扉４が開口を閉じた状態では製氷室２３ｂ、切替室２３ｃ、冷凍室２３ｄ又は野菜室２３ｅの内部に位置する。容器は引き出し扉４と連動して移動し、引き出し扉４を前面部側に移動させた状態では容器は開口を介して筐体２の外部の空間に引き出される。
【００１８】  冷却装置５は、各貯蔵室を所定の温度に冷却するための装置である。冷却装置５は、圧縮機５１、冷却器５２、図示を省略したキャピラリーチューブなどの膨張手段、図示を省略した放熱パイプなどの凝縮器、庫内ファン５３、ダンパ５４より構成される。圧縮機５１と冷却器５２と膨張手段と凝縮器はそれぞれ冷媒配管で繋がっており、冷媒が循環する冷凍サイクルを形成する。圧縮機５１は冷凍サイクル回路内の冷媒を圧縮する。凝縮器は圧縮機５１により圧縮された冷媒を凝縮させる。膨張手段は凝縮器により凝縮された冷媒を膨張させる。冷却器５２は膨張手段により膨張された冷媒によって冷却器５２を通過する空気を冷却する。冷却器５２と庫内ファン５３は筐体２内の風路中に設置されており、冷却器５２で冷却された空気が庫内ファン５３によって各貯蔵室に流入する。また、冷却器５２で冷却された空気の各貯蔵室への流入量をダンパ５４の開閉によって調整することで、各貯蔵室の温度は調整される。なお、各貯蔵室に流入した空気は流入後に冷却器５２に戻り再び冷却され、冷蔵庫１内の空気は庫内ファン５３によって循環される。
【００１９】  ヒンジ部６は、開閉扉３を所定の角度範囲内で回転可能なように支持する。ヒンジ部６はヒンジ金具６１とヒンジカバー６２より構成される。ヒンジ金具６１は円筒形状のヒンジ軸が筐体２の前面部より突出するように筐体２の上面部に固定される。また、冷蔵庫１はヒンジ部６を二つ備えており、左面部側に位置するヒンジ部６ａは開閉扉３ａをヒンジ軸によって上面部側から支持し、右面部側に位置するヒンジ部６ｂは開閉扉３ｂをヒンジ軸によって上面部側から支持する。ヒンジ金具６１は例えば金属製のものである。また、ヒンジ金具６１はヒンジカバー６２に覆われる。ヒンジカバー６２は非導電性であり、例えば樹脂製である。また、ヒンジカバー６２は筐体２の上面部に取り付けられる。
【００２０】  また、図示は省略したが冷蔵庫１は、冷蔵室２３ａと製氷室２３ｂとの間と、冷蔵室２３ａと切替室２３ｃとの間と、にも円筒形状のヒンジ軸が筐体２の前面部より突出するように筐体２に固定されたヒンジ金具をそれぞれ有する。冷蔵室２３ａと製氷室２３ｂとの間のヒンジ金具のヒンジ軸と、ヒンジ部６ａのヒンジ金具６１のヒンジ軸と、は冷蔵庫１の上下方向において重なるように配置される。冷蔵室２３ａと製氷室２３ｂとの間のヒンジ金具は開閉扉３ａをヒンジ軸によって下面部側から支持する。また、冷蔵室２３ａと切替室２３ｃとの間のヒンジ金具のヒンジ軸と、ヒンジ部６ｂのヒンジ金具６１のヒンジ軸と、は冷蔵庫１の上下方向において重なるように配置される。冷蔵室２３ａと切替室２３ｃとの間のヒンジ金具は開閉扉３ｂをヒンジ軸によって下面部側から支持する。
【００２１】  運搬ハンドル７は、冷蔵庫１の運搬時に運搬者が掴む部材である。運搬ハンドル７は筐体２の上面部の右背面部側の端部と、上面部の左背面部側の端部に設けられる。運搬ハンドル７は非導電性であり、例えば樹脂製である。
【００２２】  制御装置８は、冷蔵庫１の運転を制御する。制御装置８は、操作部９と無線通信装置１１と圧縮機５１と庫内ファン５３とダンパ５４と通信可能に接続される。制御装置８は圧縮機５１と庫内ファン５３とダンパ５４を制御して各貯蔵室の温度について制御を行う。制御装置８はマイクロコントローラと制御装置基板より構成される。マイクロコントローラはプロセッサーとメモリーを備える。制御装置８が行う制御ならびに通信は、プロセッサーがメモリーに記憶されたソフトウェアのプログラムに従って処理を実行することによって実現される。また、マイクロコントローラは制御装置基板上に設けられる。制御装置基板には、マイクロコントローラの他に、マイクロコントローラを動作させるために必要な電子部品と、接続線１０と接続可能なコネクタと、マイクロコントローラと電子部品と制御装置側コネクタとを電気的に接続する配線パターンが設けられる。
【００２３】  操作部９は、ユーザーによる冷蔵庫１の運転の操作を受け付ける。ユーザーは操作部９を操作することにより冷蔵庫１の運転を変更することができる。例えば、ユーザーが切替室２３ｃの温度帯を変更する操作を操作部９に行うと、切替室２３ｃの温度帯を変更する情報を含んだ信号が操作部９より制御装置８に送信され、当該信号を受信した制御装置８が切替室２３ｃの温度帯をユーザーによって変更された温度帯に変更するよう冷却装置５を制御する。なお、操作部９は開閉扉３ａに取り付けられており、詳細な構成については後述する。
【００２４】  接続線１０は各種信号を伝送する配線である。接続線１０の詳細な構成については後述する。
【００２５】  無線通信装置１１は後述する外部機器２００と無線で通信可能な装置である。無線通信装置１１の詳細な構成については後述する。
【００２６】  次に無線通信装置１１と無線で通信が行われる外部機器２００について説明する。外部機器２００は冷蔵庫１を除く機器のことである。例えば、スマートフォンもしくはタブレット端末などの携帯端末、空気調和機もしくは換気扇などの家電機器、またはインターネットなどの外部ネットワークと通信可能に接続された集中コントローラなどが、外部機器２００として挙げられる。これらの外部機器２００と制御装置８とが無線通信装置１１を介して通信を行うことにより、例えば以下に示すことなどを行うことができる。制御装置８が、他の家電機器の運転状態に関する情報を取得し、当該情報に基づいて冷蔵庫１の制御を行うことができる。制御装置８が、外部ネットワークより情報を取得し、当該情報に基づいて冷蔵庫１の制御を行うことができる。制御装置８が、外部ネットワーク上のクラウドサーバーに冷蔵庫１の運転状態に関する情報を送信し、クラウドサーバーは当該情報を蓄積することができる。制御装置８が、携帯端末に冷蔵庫１の運転状態に関する情報を送信し、携帯端末の制御装置が当該情報を携帯端末の表示部に表示を行うことができる。
【００２７】  図４は、実施の形態１に係る冷蔵庫の開閉扉の前面図である。図５は、実施の形態１に係る冷蔵庫の開閉扉の図４におけるＢ−Ｂ断面を示す断面図である。図６は、実施の形態１に係る冷蔵庫の開閉扉の図５における領域Ｃの拡大図である。図７は、実施の形態１に係る冷蔵庫の開閉扉の分解斜視図である。図８は、実施の形態１に係る冷蔵庫の開閉扉の背面図である。なお、説明のために、図７では操作部９と無線通信装置１１と後述する発泡断熱材３５との図示を省略し、図８では後述する背面板３４と発泡断熱材３５との図示を省略する。次に開閉扉３ａについて説明する。開閉扉３ａは、操作部９と、無線通信装置１１と、前面板３１と、上面部側キャップ部３２と、下面部側キャップ部３３と、背面板３４と、発泡断熱材３５と、を有する。
【００２８】  前面板３１は、開閉扉３ａの前面部と側面部を構成する部材である。開閉扉３ａが筐体２の開口を閉じる場合において、前面板３１は貯蔵空間２３の外部の空間に面する。前面板３１は、鉄などの金属材料で形成された板状の部材である。前面板３１は、左面部側の端部と右面部側の端部とが背面部側に曲げ起こされ、略Ｕ字状に形成される。前面板３１のうち、曲げ起こされた端部側の部分でありそれぞれ対向し合う部分を前面板側部３１ａと称する。また、前面板側部３１ａを連結する部分を前面板基部３１ｂと称する。前面板基部３１ｂには穴部３１ｃが形成される。
【００２９】  上面部側キャップ部３２は、開閉扉３ａの上面部を構成する部材である。上面部側キャップ部３２は前面板３１の上面部側の端部に取り付けられる。開閉扉３ａが筐体２の開口を閉じる場合において、上面部側キャップ部３２は貯蔵空間２３の外部の空間に面する。上面部側キャップ部３２の左側面部側には筐体２の上面部に設けられたヒンジ金具６１のヒンジ軸に支持される支持部３２ａが設けられる。また、支持部３２ａの近傍には、図示を省略したが、接続線１０を後述する扉内空間３６の内部に引き込むための穴が形成される。
【００３０】  下面部側キャップ部３３は、開閉扉３ａの下面部を構成する部材である。下面部側キャップ部３３は前面板３１の下面部側の端部に取り付けられる。開閉扉３ａが筐体２の開口を閉じる場合において、下面部側キャップ部３３は貯蔵空間２３の外部の空間に面する。下面部側キャップ部３３の左側面部側には、冷蔵室２３ａと製氷室２３ｂとの間に設けられたヒンジ金具６１のヒンジ軸に支持される支持部３３ａが設けられる。また、下面部側キャップ部３３にはユーザーが開閉扉３ａを開閉する際に掴む持ち手３３ｂが設けられる。
【００３１】  背面板３４は、開閉扉３ａの背面部を構成する部材である。前面板側部３１ａの背面部側の端部に取り付けられる。開閉扉３ａが筐体２の開口を閉じる場合において、背面板３４は冷蔵室２３ａに面する部材である。背面板３４は前面板３１よりも剛性の低い材料が用いられており、例えば樹脂製である。つまり、前面板３１は背面板３４よりも剛性が高い。
【００３２】  操作部９は、穴部３１ｃを塞ぐように前面板基部３１ｂに取り付けられる。操作部９は、操作部基板９１と、操作部ケース９２と、操作部カバー９３とを備える。
【００３３】  操作部基板９１は、操作部９がユーザーによる冷蔵庫１の運転の操作を受け付けることができるように電子部品が配置された基板である。このような電子部品としては、例えば表示用のＬＥＤ（Ｌｉｇｈｔ  Ｅｍｉｔｔｉｎｇ  Ｄｉｏｄｅ）と、静電容量の変化によってユーザーが操作を行ったことを検知する静電容量タッチセンサと、ＬＥＤおよび静電容量タッチセンサを動作させるための電子部品などが挙げられる。また、操作部基板９１には各電子部品を電気的に接続する配線パターンを有する。
【００３４】  操作部ケース９２は、操作部ケース９２の中央部９２ａが操作部ケース９２の端部９２ｂと比べて背面部側に窪んだ形状である。また、操作部ケース９２の上下方向ならびに左右方向の寸法は、穴部３１ｃの上下方向ならびに左右方向の寸法よりも長い。このため、操作部ケース９２は穴部３１ｃを背面部側から塞ぐように前面板基部３１ｂに取り付けられる。前面板基部３１ｂに取り付けられた操作部ケース９２は、端部９２ｂが前面板基部３１ｂの背面部側の面と接する。
【００３５】  操作部カバー９３は穴部３１ｃを前面部側から塞ぐように前面板基部３１ｂに取り付けられる。操作部ケース９２と操作部カバー９３とが前面板基部３１ｂに取り付けられることで、操作部ケース９２と操作部カバー９３は、操作部ケース９２と操作部カバー９３に囲まれた基板収納空間９４を形成する。操作部基板９１は、基板収納空間９４の中に位置する。また、操作部基板９１は操作部ケース９２に固定される。
【００３６】  操作部カバー９３には、例えば温度表示など冷蔵庫１の運転状態を表す文字またはアイコンが表記されている。操作部カバー９３に表記された文字またはアイコンは、操作部基板９１に配置されたＬＥＤの光が照射されることによってユーザーが視認できるようになる。また、操作部カバー９３に表記された文字またはアイコンの一部は、冷蔵庫１を前方から見た場合に、操作部基板９１に配置された静電容量タッチセンサと重なった位置に表記される。このため、操作部カバー９３に表記された文字またはアイコンをユーザーが触れることで静電容量タッチセンサが検知する静電容量が変化する。静電容量タッチセンサは、静電容量が変化することによってユーザーが表記された文字またはアイコンと対応付けられた機能を選択されたことを検知する。さらに、操作部カバー９３は非導電性であり、例えば樹脂製又はガラス製である。なお、操作部カバー９３がカバー部材に該当する。
【００３７】  無線通信装置１１は、アンテナ部１１１と変復調部１１２と無線通信基板１１３を有する。アンテナ部１１１は外部機器２００への電波の送信を行う。また、アンテナ部１１１は外部機器２００からの電波の受信を行う。変復調部１１２はアンテナ部１１１で取得した電波に含まれる変調信号を復調する。また、変復調部１１２は冷蔵庫１に関する情報を含む信号をアンテナ部１１１より送信できるよう変調する。アンテナ部１１１と変復調部１１２は無線通信基板１１３上に設けられる。無線通信基板１１３には、アンテナ部１１１と変復調部１１２の他に、アンテナ部１１１と変復調部１１２を動作させるために必要な電子部品と、接続線１０と接続可能なコネクタと、アンテナ部１１１と変復調部１１２と電子部品とコネクタとを電気的に接続する配線パターンが設けられる。また、無線通信装置１１は基板収納空間９４の中に位置する。さらに、無線通信装置１１は操作部ケース９２に固定される。
【００３８】  さらに、操作部基板９１と無線通信基板１１３には、それぞれの基板を互いに電気的接続する配線が設けられる。
【００３９】  また、開閉扉３ａには、前面部側を前面板基部３１ｂおよび操作部ケース９２で覆われ、背面部側を背面板３４で覆われ、左右側面部側を前面板側部３１ａで覆われ、上面部側を上面部側キャップ部３２で覆われ、下面部側を下面部側キャップ部３３で覆われた扉内空間３６が形成される。扉内空間３６には発泡断熱材３５が配置される。発泡断熱材３５は前面板３１、上面部側キャップ部３２、下面部側キャップ部３３ならびに背面板３４と比較して熱伝導率が低い素材が用いられる。また、発泡断熱材３５は扉内空間３６に薬液が注入され注入した薬液が発泡することによって形成される。このような発泡断熱材として例えばウレタン断熱材などが挙げられる。
【００４０】  なお、前面板３１と、上面部側キャップ部３２と、下面部側キャップ部３３と、背面板３４と、操作部ケース９２と、操作部カバー９３との取り付けは既存の取付手段で取り付ければよい。例えば、ねじ穴を形成しねじ止めを行う方法、嵌合部を形成し嵌合部同士を嵌合させる方法、ホットメルトまたは両面テープなどの接着部材によって接着する方法などが挙げられる。
【００４１】  ここで、アンテナ部１１１と、前面板３１と、操作部カバー９３との位置関係について説明する。アンテナ部１１１は、冷蔵庫１を前方から見た場合に、前面板３１に形成された穴部３１ｃと重なる位置に固定される。このため、アンテナ部１１１は、冷蔵庫１を前方から見た場合に、前面板３１とは重ならない位置に固定される。また、アンテナ部１１１は、冷蔵庫１を前方から見た場合に、操作部カバー９３と重なる位置に固定される。なお、冷蔵庫１を前方から見た場合とは、換言すると、前面板３１の前面板基部３１ｂに対して垂直な方向から見た場合である。
【００４２】  次に接続線１０について詳細を説明する。接続線１０は、無線通信装置接続線１０１と、霜取りヒーター接続線１０２とより構成される。
【００４３】  無線通信装置接続線１０１は、制御装置８と無線通信装置１１とを通信可能に接続する配線である。換言すると、無線通信装置接続線１０１はアンテナ部１１１と制御装置８とを通信可能に接続する。無線通信装置接続線１０１の一方の端部は制御装置８に接続され、他方の端部は無線通信基板１１３のコネクタに接続される。なお、操作部基板９１と無線通信基板１１３にはそれぞれの基板を電気的に接続する配線が設けられるため、操作部９は無線通信装置接続線１０１を介して制御装置８と通信可能に接続される。
【００４４】  霜取りヒーター接続線１０２は、制御装置８が図示を省略した開閉扉３ａの霜取りヒーターを駆動または停止させる信号を伝達する配線である。霜取りヒーター接続線１０２の一方の端部は制御装置８に接続され、他方の端部は霜取りヒーターに接続される。
【００４５】  無線通信装置接続線１０１の一部と霜取りヒーター接続線１０２の一部は、筐体２の上面部側の内箱２０と外箱２１の間に敷設される。無線通信装置接続線１０１ならびに霜取りヒーター接続線１０２において筐体２の上面部側の内箱２０と外箱２１の間に敷設された部分よりも他方の端部側にそれぞれ位置する部分は、筐体２の外部へ引き出される。無線通信装置接続線１０１ならびに霜取りヒーター接続線１０２において筐体２の外部へ引き出された部分は、開閉扉３ａの上面部側キャップ部３２の穴より扉内空間３６の内部に引き込まれる。無線通信装置接続線１０１ならびに霜取りヒーター接続線１０２において扉内空間３６の内部に引き込まれた部分は、扉内空間３６の内部に敷設される。
【００４６】  無線通信装置接続線１０１ならびに霜取りヒーター接続線１０２のうち、扉内空間３６の内部に敷設される区間の一部は固定部材１２によって前面板３１に固定される。なお、実施の形態１に係る冷蔵庫１では固定部材１２として粘着テープが用いられる。
【００４７】  以上のように実施の形態１に係る冷蔵庫１は、冷却対象を貯蔵する貯蔵空間２３が内部に形成され貯蔵空間２３の前方に開口が形成された筐体２と、貯蔵空間２３より前方に設けられ開口を開閉する扉（開閉扉３ａが該当）と、外部機器２００へ電波の送信または外部機器２００からの電波の受信を行い扉に固定されたアンテナ部１１１と、貯蔵空間２３に冷却された空気を供給する冷却装置５と、冷却装置５を制御し筐体２に固定された制御装置８と、アンテナ部１１１と制御装置８とを通信可能に接続する接続線１０と、を備え、扉は貯蔵空間２３の外部の空間と面し金属材料で形成された前面板３１と貯蔵空間２３の外部の空間と面し非導電性の材料で形成されたカバー部材（操作部カバー９３が該当）とを有し、アンテナ部１１１は冷蔵庫１を前方から見た場合に前面板３１と重ならずカバー部材と重なる位置に固定される構成である。実施の形態１に係る冷蔵庫１は、扉にアンテナ部１１１が固定されるため、外部機器２００が冷蔵庫の前方に位置する場合においてアンテナ部１１１と外部機器２００との通信がヒンジ部によって妨げられない効果を奏する。さらに、実施の形態１に係る冷蔵庫１は、アンテナ部１１１を冷蔵庫１の前方から見た場合に、金属材料で形成された前面板３１とは重ならず非導電性の材料で形成されたカバー部材と重なる位置に固定されるため、扉の剛性を高くするために前面板３１を金属材料で形成したとしてもアンテナ部１１１による電波の送信または電波の受信が前面板３１に阻まれることを抑制する効果を奏する。
【００４８】  また、実施の形態１に係る冷蔵庫１は、付加的な構成として、扉（開閉扉３ａが該当）は、ユーザーによる冷蔵庫１の運転の操作を受け付ける操作部９を有し、カバー部材（操作部カバー９３が該当）と共に基板収納空間９４を形成する操作部ケース９２と、電子部品が配置され基板収納空間９４の中に位置する操作部基板９１と、を有し、アンテナ部１１１は、基板収納空間９４の中に位置する構成を有する。この付加的な構成によって、アンテナ部１１１を既存の操作部９の内部に収納することができ、新規にアンテナ部１１１を覆うカバー部材を起工する必要が無く、コストを低減することができる効果を奏する。
【００４９】  また、実施の形態１に係る冷蔵庫１は、付加的な構成として、前面板３１は穴部３１ｃが形成されており、アンテナ部１１１は冷蔵庫１を前方から見た場合に穴部３１ｃと重なる位置に固定される構成を有する。この付加的な構成によって、アンテナ部１１１を、冷蔵庫１を前方から見た場合に、金属製の前面板３１とは重ならない位置に固定する構造を得られる効果を奏する。
【００５０】  また、実施の形態１に係る冷蔵庫１は、付加的な構成として、扉（開閉扉３ａが該当）は前面板３１の後方に位置し貯蔵空間２３に面する背面板３４を有し、背面板３４と前面板３１の間には扉内空間３６が形成され、扉内空間３６には前面板３１に固定された接続線１０が敷設され発泡断熱材３５が配置され、前面板３１は背面板３４よりも剛性が高い構成を有する。発泡断熱材３５が発泡する際には背面板３４と前面板３１に発泡断熱材３５が膨張することによる応力がかかる。特に接続線１０が固定された部材は接続線の厚みによって発泡断熱材３５の膨張による応力が均一にかからず部材が変形してしまう可能性がある。この付加的な構成によって、接続線１０は背面板３４よりも剛性の高い前面板３１に固定されるため、背面板３４に接続線１０が固定される場合に比べて、接続線１０が固定された部材が変形してしまうことを抑制することができる効果を奏する。
【００５１】  実施の形態１に係る冷蔵庫１の変形例について説明する。
【００５２】  実施の形態１に係る冷蔵庫１は、貯蔵空間２３は仕切り部材２５によって複数の貯蔵室に区画されるが、これに限らない。例えば、仕切り部材を備えず、貯蔵空間は１つの貯蔵室のみを形成する冷蔵庫であっても構わない。
【００５３】  さらに、実施の形態１に係る冷蔵庫１では、開閉扉３は両開きの扉であるが、これに限らない。例えば、右端部がヒンジ部によって支持された開閉扉または左端部がヒンジ部によって支持された開閉扉のいずれか一つによって筐体２の開口が閉じられる片開きの扉の冷蔵庫であっても構わない。この場合、片開きの扉の構成は、実施の形態１に係る開閉扉３ａの構成とほぼ同様となる。
【００５４】  さらに、実施の形態１に係る冷蔵庫１では、開閉扉３ａに操作部９と無線通信装置１１とが設けられるが、これに限らず、開閉扉３ｂに操作部９と無線通信装置１１とを設けても構わない。
【００５５】  さらに、実施の形態１に係る冷蔵庫１では、接続線１０は筐体２の上面部側の内箱２０と外箱２１の間に敷設されるが、これに限らない。例えば、接続線１０のうち一方の端部から開閉扉の上面部側キャップ部の穴に引き込まれるまでの区間を、外箱２１の外面に沿って敷設しても構わない。
【００５６】  さらに、実施の形態１に係る冷蔵庫１では、接続線１０を前面板３１に固定する固定部材１２として粘着テープを用いている、これに限らない。例えば、前面板の扉内空間に面する側の面に爪部を形成させ、当該爪部に接続線を引っ掛けることによって接続線を前面板に固定しても構わない。
【００５７】  さらに、実施の形態１に係る冷蔵庫１では、無線通信装置１１の全ての構成が基板収納空間９４の中に位置しているが、これに限らない。少なくとも電波を送受信するためのアンテナ部１１１が基板収納空間９４の中に位置していればよい。
【００５８】  さらに、実施の形態１に係る冷蔵庫１では、無線通信装置１１の全ての構成が、冷蔵庫１を前方から見た場合に前面板３１とは重ならず操作部カバー９３と重なる位置に固定されるが、これに限らない。少なくとも電波を送受信するためのアンテナ部１１１が冷蔵庫１を前方から見た場合に前面板３１とは重ならず操作部カバー９３と重なる位置に固定されればよい。
【００５９】  さらに、実施の形態１に係る冷蔵庫１では、操作部９は無線通信装置接続線１０１を介して制御装置８と通信可能に接続されるが、これに限らない。操作部と制御装置とを無線通信装置を介さずに通信可能に接続する接続線を新たに設けても構わない。
【００６０】  さらに、実施の形態１に係る冷蔵庫１では、無線通信装置１１と操作部基板９１は操作部ケース９２に固定されるが、これに限らない。操作部基板と無線通信装置が操作部ケースと操作部カバーに囲まれた基板収納空間の中に位置するのであれば、無線通信装置と操作部基板を操作部カバーに固定しても構わない。
【００６１】  実施の形態２．  次に実施の形態２に係る冷蔵庫１について説明する。実施の形態２に係る冷蔵庫１は実施の形態１に係る冷蔵庫１と比較して、開閉扉３ａの構成が異なる。なお、実施の形態２に係る冷蔵庫１は開閉扉３ａを除く他の構成は実施の形態１に係る冷蔵庫１と同様であるため説明を省略する。
【００６２】  図９は実施の形態２に係る冷蔵庫の開閉扉の図４におけるＢ−Ｂ断面に相当する箇所を示す断面図である。図１０は実施の形態２に係る冷蔵庫の開閉扉の図９における領域Ｄの拡大図である。開閉扉３ａは、操作部９と、無線通信装置１１と、前面板３１と、上面部側キャップ部３２と、下面部側キャップ部３３と、背面板３４と、発泡断熱材３５と、真空断熱材３７とを有する。また、開閉扉３ａの内部には扉内空間３６が形成される。操作部９と、無線通信装置１１と、前面板３１と、上面部側キャップ部３２と、下面部側キャップ部３３と、背面板３４と、発泡断熱材３５とについては、実施の形態１の同名の構成と同様であるため、説明を省略する。
【００６３】扉内空間３６には発泡断熱材３５と真空断熱材３７が配置される。真空断熱材３７は、フィルムに囲まれた芯材を有しフィルムの内部が真空状態の断熱材である。また、真空断熱材３７は発泡断熱材３５よりも背面板３４側に位置する。つまり、真空断熱材３７と、前面板３１との間に発泡断熱材３５が配置される。
【００６４】  以上のように実施の形態２に係る冷蔵庫１は、実施の形態１に係る冷蔵庫１と同じく、冷却対象を貯蔵する貯蔵空間２３が内部に形成され貯蔵空間２３の前方に開口が形成された筐体２と、貯蔵空間２３より前方に設けられ開口を開閉する扉（開閉扉３ａが該当）と、外部機器２００へ電波の送信または外部機器２００からの電波の受信を行い扉に固定されたアンテナ部１１１と、貯蔵空間２３に冷却された空気を供給する冷却装置５と、冷却装置５を制御し筐体２に固定された制御装置８と、アンテナ部１１１と制御装置８とを通信可能に接続する接続線１０と、を備え、扉は貯蔵空間２３の外部の空間と面し金属材料で形成された前面板３１と貯蔵空間２３の外部の空間と面し非導電性の材料で形成されたカバー部材（操作部カバー９３が該当）とを有し、アンテナ部１１１は冷蔵庫１を前方から見た場合に前面板３１と重ならずカバー部材と重なる位置に固定される構成である。この構成によって、実施の形態２に係る冷蔵庫１は実施の形態１で述べた効果と同様の効果を奏する。
【００６５】  また、実施の形態２に係る冷蔵庫１は、付加的な構成として、扉内空間３６には前面板３１に固定された接続線１０が敷設され、発泡断熱材３５と真空断熱材３７とが配置され、真空断熱材３７は発泡断熱材３５よりも背面板３４側に位置する構成を有する。ここで当該付加的な構成と対比するために、前面板に接続線が固定され真空断熱材が発泡断熱材よりも前面板側に位置する場合について説明する。前面板に接続線が固定され真空断熱材が発泡断熱材よりも前面板側に位置する場合、真空断熱材と前面板との間に接続線が固定される。真空断熱材と前面板との間に接続線が固定された状態で発泡断熱材が発泡すると発泡断熱材の膨張による応力が接続線の厚みによって真空断熱材と接続線が接する箇所に集中する。応力が集中すると、真空断熱材が破損して真空断熱材の断熱性能が損なわれる可能性がある。対して、当該付加的な構成では、真空断熱材３７が発泡断熱材３５よりも背面板３４側に位置するため、真空断熱材３７と接続線１０の間の空間に発泡断熱材３５が位置し、接続線の厚みと発泡断熱材３５の膨張とに起因する応力の集中が起きることを抑制している。従って、当該付加的な構成を有することによって、真空断熱材が発泡断熱材よりも前面板側に位置する場合と比較して、真空断熱材の破損を抑制することができる。
【００６６】実施の形態３．  次に実施の形態３に係る冷蔵庫１について説明する。実施の形態３に係る冷蔵庫１は実施の形態１に係る冷蔵庫１と比較して、開閉扉３ａの構成が異なる。なお、実施の形態３に係る冷蔵庫１は開閉扉３ａを除く他の構成は実施の形態１に係る冷蔵庫１と同様であるため説明を省略する。
【００６７】  図１１は、実施の形態３に係る冷蔵庫の前面と外部機器を示した図である。図１２は、実施の形態３に係る冷蔵庫の開閉扉の前面図である。図１３は、実施の形態３に係る冷蔵庫の開閉扉の図１２におけるＥ−Ｅ断面を示す断面図である。図１４は、実施の形態３に係る冷蔵庫の開閉扉の図１３における領域Ｆの拡大図である。図１５は、実施の形態３に係る冷蔵庫の開閉扉の分解斜視図である。図１６は、実施の形態３に係る冷蔵庫の開閉扉の背面図である。なお、説明のために、図１５では発泡断熱材３５の図示を省略し、図１６では背面板３４と発泡断熱材３５との図示を省略する。開閉扉３ａは、操作部９と、無線通信装置１１と、前面板３１と、上面部側キャップ部３２と、下面部側キャップ部３３と、背面板３４と、発泡断熱材３５と、側面部側キャップ部３８と、を有する。ここで、上面部側キャップ部３２と、下面部側キャップ部３３と、背面板３４と、発泡断熱材３５とについては、実施の形態１で説明した上面部側キャップ部３２と、下面部側キャップ部３３と、背面板３４と、発泡断熱材３５と同様であるため説明を省略する。
【００６８】  前面板３１は開閉扉３ａの前面部の一部と左側面部とを構成する部材である。開閉扉３ａが筐体２の開口を閉じる場合において、前面板３１は貯蔵空間２３の外部の空間に面する部材である。前面板３１は、金属板の左面部側の端部が背面部側に曲げ起こされることによって略Ｌ字状に形成される。前面板３１は開閉扉３ａが筐体２の開口を閉じる場合において貯蔵空間２３の外部の空間に面する部材である。前面板３１のうち、曲げ起こされ、開閉扉３ａの左側面部を構成する部分を前面板側部３１ａと称する。また、前面板３１のうち、曲げ起こされず、開閉扉３ａの前面部を構成する部分を前面板基部３１ｂと称する。実施の形態１の前面板３１と異なり、前面板基部３１ｂには穴部３１ｃが形成されない。
【００６９】  側面部側キャップ部３８は開閉扉３ａの前面部の一部と右側面部とを構成する部材である。側面部側キャップ部３８は前面板３１の前面板基部３１ｂの右面部側の端部に取り付けられる。開閉扉３ａが筐体２の開口を閉じる場合において、側面部側キャップ部３８は貯蔵空間２３の外部の空間に面する。側面部側キャップ部３８のうち開閉扉３ａの前面部を構成する箇所の一部には、背面部側に窪んだ凹部３８ａが設けられる。また、側面部側キャップ部３８には、開閉扉３ａをユーザーが開閉する際に掴む持ち手３８ｂが設けられる。
【００７０】  また、開閉扉３ａには、前面部側を前面板基部３１ｂおよび側面部側キャップ部３８で覆われ、背面部側を背面板３４で覆われ、左側面部側を前面板側部３１ａで覆われ、右側面部側を側面部側キャップ部３８で覆われ、上面部側を上面部側キャップ部３２で覆われ、下面部側を下面部側キャップ部３３で覆われた扉内空間３６が形成される。扉内空間３６には、実施の形態１に係る冷蔵庫と同様に、発泡断熱材３５が配置される。
【００７１】  操作部９は、側面部側キャップ部３８と一体である。また、操作部９は操作部基板９１と、操作部カバー９３とを有する。なお、操作部基板９１と操作部カバー９３とについては、形状と取付位置を除いて、実施の形態１の操作部基板９１と操作部カバー９３と同様であるため、同様の部分は説明を省略する。
【００７２】  操作部カバー９３は凹部３８ａに覆うように側面部側キャップ部３８に取り付けられる。操作部カバー９３は側面部側キャップ部３８に取り付けられた際に、側面部側キャップ部３８と段差が生じず平らになるような形状である。また、操作部カバー９３が側面部側キャップ部３８に取り付けられることにより、凹部３８ａと操作部カバー９３とに囲まれた基板収納空間９４が形成される。
【００７３】  操作部基板９１は、基板収納空間９４の中に位置する。また、操作部基板９１は凹部３８ａに固定される。このため、側面部側キャップ部３８の凹部３８ａが操作部ケースに該当する。
【００７４】  無線通信装置１１は、アンテナ部１１１と変復調部１１２と無線通信基板１１３を有する。なお、アンテナ部１１１と変復調部１１２と無線通信基板１１３については、固定される位置を除いて、実施の形態１のアンテナ部１１１と変復調部１１２と無線通信基板１１３と同様であるため、同様の部分は説明を省略する。
【００７５】  アンテナ部１１１と変復調部１１２が設けられた無線通信基板１１３は、基板収納空間９４の中に位置する。また、無線通信基板１１３は、凹部３８ａに固定される。さらに、アンテナ部１１１の前方は操作部カバー９３によって覆われる。このため、操作部カバー９３がカバー部材に該当する。
【００７６】  さらに、操作部基板９１と無線通信基板１１３には、それぞれの基板を電気的に接続する配線が設けられる。
【００７７】  ここで、アンテナ部１１１と、前面板３１と、操作部カバー９３と、との位置関係について説明する。アンテナ部１１１は、側面部側キャップ部３８の基板収納空間９４に位置する。このため、アンテナ部１１１は、冷蔵庫１を前方から見た場合に、前面板３１とは重ならない位置に固定される。また、アンテナ部１１１は、冷蔵庫１を前方から見た場合に、操作部カバー９３と重なる位置に固定される。なお、冷蔵庫１を前方から見た場合とは、換言すると、前面板３１の前面板基部３１ｂに対して垂直な方向から見た場合である。
【００７８】  次に接続線１０について説明する。接続線１０は無線通信装置接続線１０１と、霜取りヒーター接続線１０２とより構成される。無線通信装置接続線１０１と霜取りヒーター接続線１０２については、無線通信装置１１の取付位置が変わったため無線通信装置接続線１０１の長さが短くなった点を除いて、実施の形態１の無線通信装置接続線１０１と霜取りヒーター接続線１０２と同様である。このため、実施の形態３の冷蔵庫においても、無線通信装置接続線１０１ならびに霜取りヒーター接続線１０２は扉内空間３６の内部に敷設される。また、無線通信装置接続線１０１ならびに霜取りヒーター接続線１０２は固定部材１２によって前面板３１に固定される。
【００７９】  以上のように実施の形態３に係る冷蔵庫１は、実施の形態１に係る冷蔵庫１と同じく、冷却対象を貯蔵する貯蔵空間２３が内部に形成され貯蔵空間２３の前方に開口が形成された筐体２と、貯蔵空間２３より前方に設けられ開口を開閉する扉（開閉扉３ａが該当）と、外部機器２００へ電波の送信または外部機器２００からの電波の受信を行い扉に固定されたアンテナ部１１１と、貯蔵空間２３に冷却された空気を供給する冷却装置５と、冷却装置５を制御し筐体２に固定された制御装置８と、アンテナ部１１１と制御装置８とを通信可能に接続する接続線１０と、を備え、扉は貯蔵空間２３の外部の空間と面し金属材料で形成された前面板３１と貯蔵空間２３の外部の空間と面し非導電性の材料で形成されたカバー部材（操作部カバー９３が該当）とを有し、アンテナ部１１１は冷蔵庫１を前方から見た場合に前面板３１と重ならずカバー部材と重なる位置に固定される構成である。この構成によって、実施の形態３に係る冷蔵庫１は実施の形態１で述べた効果と同様の効果を奏する。
【００８０】  また、実施の形態３に係る冷蔵庫１は、付加的な構成として、実施の形態１に係る冷蔵庫１と同じく、扉（開閉扉３ａが該当）は、ユーザーによる冷蔵庫の運転の操作を受け付ける操作部９を有し、カバー部材（操作部カバー９３が該当）と共に基板収納空間９４を形成する操作部ケース（凹部３８ａが該当）と、電子部品が配置され基板収納空間９４の中に位置する操作部基板９１と、を有し、アンテナ部１１１は、基板収納空間９４の中に位置する構成を有する。この付加的な構成によって、実施の形態１で説明した同様の付加的な構成と同じ効果を奏することができる。
【００８１】  また、実施の形態３に係る冷蔵庫１は、付加的な構成として、扉（開閉扉３ａが該当）は、貯蔵空間２３の外部の空間と面し前面板３１の側方に取り付けられる側面部側キャップ部２８を有し、操作部ケース（凹部３８ａが該当）は、側面部側キャップ部３８の一部である構成を有する。この付加的な構成によって、穴部３１ｃを形成する必要が無いため、実施の形態１に係る冷蔵庫１と比較して前面板の加工費用を抑制することができる効果を奏する。
【００８２】  実施の形態３に係る冷蔵庫１の変形例について説明する。
【００８３】  実施の形態３に係る冷蔵庫１では、開閉扉３ａに操作部９と無線通信装置１１とが設けられるが、これに限らず、開閉扉３ｂに操作部９と無線通信装置１１とを設けても構わない。例えば、開閉扉３ｂに操作部９と無線通信装置１１を設ける場合、前面板と側面部側キャップ部の構成は以下の部分が異なる。前面板は、開閉扉３ｂの前面部の一部と右側面部を構成する部材であり、金属板の右面部側の端部が背面部側に曲げ起こされることによって略Ｌ字状に形成される。また、側面部側キャップ部は、開閉扉３ｂの前面部の一部と左側面部を構成する部材であり、前面板の左面部側の端部に取り付けられる。
【００８４】実施の形態４．  次に実施の形態４に係る冷蔵庫１について説明する。実施の形態４に係る冷蔵庫１は実施の形態１に係る冷蔵庫１と比較して、開閉扉３ａの構成が異なる。なお、実施の形態４に係る冷蔵庫１は開閉扉３ａを除く他の構成は実施の形態１に係る冷蔵庫１と同様であるため説明を省略する。
【００８５】  図１７は、実施の形態４に係る冷蔵庫の開閉扉の前面図である。図１８は、実施の形態４に係る冷蔵庫の開閉扉の図１７におけるＧ−Ｇ断面を示す断面図である。図１９は、実施の形態４に係る冷蔵庫の開閉扉の図１８における領域Ｈの拡大図である。図２０は、実施の形態４に係る冷蔵庫の開閉扉の分解斜視図である。なお、説明のために、図２０では発泡断熱材３５の図示を省略する。開閉扉３ａは、操作部９と、無線通信装置１１と、前面板３１と、上面部側キャップ部３２と、下面部側キャップ部３３と、背面板３４と、発泡断熱材３５と、側面部側キャップ部３８と、を有する。ここで、上面部側キャップ部３２と、下面部側キャップ部３３と、背面板３４と、発泡断熱材３５については、実施の形態１で説明した上面部側キャップ部３２と、下面部側キャップ部３３と、背面板３４と、発泡断熱材３５と同様であるため説明を省略する。
【００８６】  前面板３１は開閉扉３ａの前面部の一部を構成する部材である。開閉扉３ａが筐体２の開口を閉じる場合において、前面板３１は貯蔵空間２３の外部の空間に面する部材である。実施の形態１の前面板３１と異なり、前面板３１は右面部側の端部ならびに左面部側の端部は曲げ起こされない。従って、前面板３１には、前面板側部３１ａが形成されない。また、穴部３１ｃは前面板３１の右面部側の端部に形成される。
【００８７】  開閉扉３ａは二つの側面部側キャップ部３８を有する。ここで、前面板３１の右面部側の端部に取り付けられ、開閉扉３ａの前面部の一部と右側面部とを構成する部材である側面部側キャップ部３８を右側面部側キャップ部３８ｃと称する。また、前面板３１の左面部側の端部に取り付けられ、開閉扉３ａの左側面部とを構成する部材である側面部側キャップ部３８を左側面部側キャップ部３８ｄと称する。開閉扉３ａが筐体２の開口を閉じる場合において、右側面部側キャップ部３８ｃと左側面部側キャップ部３８ｄは貯蔵空間２３の外部の空間に面する。
【００８８】  また、右側面部側キャップ部３８ｃのうち開閉扉３ａの前面部を構成する箇所の一部には、背面部側に窪んだ凹部３８ａが設けられる。さらに、凹部３８ａの縁には前面部側に突出する突出部２８ｅが形成される。凹部３８ａと突出部２８ｅは、冷蔵庫１を前方から見た場合に、穴部３１ｃと重なる位置に固定される。つまり、凹部３８ａと突出部２８ｅは、冷蔵庫１を前方から見た場合に、前面板３１と重ならない位置に固定される。また、右側面部側キャップ部３８ｃを前面板３１に取り付けた場合において、突出部２８ｅは前面板３１から前方に突出する。
【００８９】  開閉扉３ａには、前面部側を前面板基部３１ｂおよび右側面部側キャップ部３８ｃで覆われ、背面部側を背面板３４で覆われ、左側面部側を左側面部側キャップ部３８ｄで覆われ、右側面部側を右側面部側キャップ部３８ｃで覆われ、上面部側を上面部側キャップ部３２で覆われ、下面部側を下面部側キャップ部３３で覆われた扉内空間３６が形成される。扉内空間３６は、実施の形態１に係る冷蔵庫と同様に、発泡断熱材３５が配置される。
【００９０】  操作部９は、側面部側キャップ部３８と一体である。また、操作部９は操作部基板９１と、操作部カバー９３とを有する。なお、操作部基板９１と操作部カバー９３については、形状と取付位置を除き、実施の形態１の操作部基板９１と操作部カバー９３と同様であるため、同様の部分については説明を省略する。
【００９１】  また、操作部カバー９３は凹部３８ａを前方から覆うように右側面部側キャップ部３８ｃに取り付けられる。操作部カバー９３は右側面部側キャップ部３８ｃに取り付けられた際に、右側面部側キャップ部３８ｃの突出部３８ｅと段差が生じず平らになるような形状である。また、操作部カバー９３が側面部側キャップ部３８に取り付けられることにより、凹部３８ａと突出部３８ｅと操作部カバー９３とに囲まれた基板収納空間９４が形成される。このため、基板収納空間９４の一部は、前面板３１よりも前方に位置する。
【００９２】  操作部基板９１は、基板収納空間９４の中に位置する。また、操作部基板９１は凹部３８ａに固定される。なお、側面部側キャップ部３８の凹部３８ａが操作部ケースに該当する。
【００９３】  無線通信装置１１は、アンテナ部１１１と変復調部１１２と無線通信基板１１３を有する。なお、アンテナ部１１１と変復調部１１２と無線通信基板１１３については、固定される位置を除き、アンテナ部１１１と変復調部１１２と無線通信基板１１３と同様であるため、同様の部分については説明を省略する。
【００９４】  アンテナ部１１１と変復調部１１２が設けられた無線通信基板１１３は、基板収納空間９４の中に位置する。また、無線通信基板１１３は、凹部３８ａに固定される。さらに、アンテナ部１１１の前方は操作部カバー９３によって覆われる。このため、操作部カバー９３がカバー部材に該当する。
【００９５】  さらに、操作部基板９１と無線通信基板１１３には、それぞれの基板を電気的に接続する配線が設けられる。
【００９６】  ここで、アンテナ部１１１と、前面板３１と、操作部カバー９３と、との位置関係について説明する。アンテナ部１１１は、基板収納空間９４の中に位置する。また、アンテナ部１１１は、冷蔵庫１を前方から見た場合に、前面板３１に形成された穴部３１ｃと重なる位置に固定される。このため、アンテナ部１１１は、冷蔵庫１を前方から見た場合に、前面板３１とは重ならない位置に固定される。また、アンテナ部１１１は、冷蔵庫１を前方から見た場合に、操作部カバー９３と重なる位置に固定される。なお、冷蔵庫１を前方から見た場合とは、換言すると、前面板３１の前面板基部３１ｂに対して垂直な方向から見た場合である。
【００９７】  さらに、アンテナ部１１１は、前面板３１よりも前方に位置する。つまり、アンテナ部１１１と前面板３１と操作部カバー９３は、前面部側より操作部カバー９３、アンテナ部１１１、前面板３１の順に並んでいる。
【００９８】  次に接続線１０について説明する。接続線１０は無線通信装置接続線１０１と、霜取りヒーター接続線１０２とより構成される。無線通信装置接続線１０１と霜取りヒーター接続線１０２については、無線通信装置１１の取付位置が変わったため無線通信装置接続線１０１の長さが短くなった点を除いて、実施の形態１の無線通信装置接続線１０１と霜取りヒーター接続線１０２と同様である。このため、実施の形態４の冷蔵庫においても、無線通信装置接続線１０１ならびに霜取りヒーター接続線１０２は扉内空間３６の内部に敷設される。また、無線通信装置接続線１０１ならびに霜取りヒーター接続線１０２は固定部材１２によって前面板３１に固定される。
【００９９】  以上のように実施の形態４に係る冷蔵庫１は、実施の形態１に係る冷蔵庫１と同じく、冷却対象を貯蔵する貯蔵空間２３が内部に形成され貯蔵空間２３の前方に開口が形成された筐体２と、貯蔵空間２３より前方に設けられ開口を開閉する扉（開閉扉３ａが該当）と、外部機器２００へ電波の送信または外部機器２００からの電波の受信を行い扉に固定されたアンテナ部１１１と、貯蔵空間２３に冷却された空気を供給する冷却装置５と、冷却装置５を制御し筐体２に固定された制御装置８と、アンテナ部１１１と制御装置８とを通信可能に接続する接続線１０と、を備え、扉は貯蔵空間２３の外部の空間と面し金属材料で形成された前面板３１と貯蔵空間２３の外部の空間と面し非導電性の材料で形成されたカバー部材（操作部カバー９３が該当）とを有し、アンテナ部１１１は冷蔵庫１を前方から見た場合に前面板３１と重ならずカバー部材と重なる位置に固定される構成である。この構成によって、実施の形態４に係る冷蔵庫１は実施の形態１で述べた効果と同様の効果を奏する。
【０１００】  また、実施の形態３に係る冷蔵庫１は、付加的な構成として、実施の形態１に係る冷蔵庫１と同じく、扉（開閉扉３ａが該当）は、ユーザーによる冷蔵庫の運転の操作を受け付ける操作部９を有し、カバー部材（操作部カバー９３が該当）と共に基板収納空間９４を形成する操作部ケース（凹部３８ａが該当）と、電子部品が配置され基板収納空間９４の中に位置する操作部基板９１と、を有し、アンテナ部１１１は、基板収納空間９４の中に位置する構成を有する。この付加的な構成によって、実施の形態１で説明した同様の付加的な構成と同じ効果を奏することができる効果を奏する。
【０１０１】  また、実施の形態４に係る冷蔵庫１は、付加的な構成として、扉（開閉扉３ａが該当）は、貯蔵空間２３の外部の空間と面し前面板３１の側方に取り付けられる側面部側キャップ部２８を有し、操作部ケース（凹部３８ａが該当）は、側面部側キャップ部３８に設けられる構成を有する。この付加的な構成によって、穴部３１ｃを形成する必要が無いため、実施の形態１に係る冷蔵庫１と比較して前面板の加工費用を抑制することができる効果を奏する。
【０１０２】  また、実施の形態４に係る冷蔵庫１は、付加的な構成として、操作部ケース（凹部３８ａが該当）は前面板３１よりも前方へ突出する突出部３８ｅが形成され、基板収納空間９４は操作部ケースと突出部３８ｅとカバー部材（操作部カバー９３が該当）とに囲まれた空間であり、アンテナ部１１１は前面板３１よりも前方に位置する構成を有する。この付加的な構成によって、無線通信装置１１が前面板３１よりも後方に位置する場合と比較して、アンテナ部１１１はより広い範囲に電波の送受信を行うことができる効果を奏する。
【０１０３】  実施の形態４に係る冷蔵庫１の変形例について説明する。
【０１０４】  実施の形態４に係る冷蔵庫１では、開閉扉３ａに操作部９と無線通信装置１１とが設けられるが、これに限らず、開閉扉３ｂに操作部９と無線通信装置１１とを設けても構わない。例えば、開閉扉３ｂに操作部９と無線通信装置１１を設ける場合、前面板と側面部側キャップ部の構成は以下の部分が異なる。前面板は、左面部側の端部に穴部が設けられる。また、側面部側キャップ部は、左側面部側キャップ部に凹部と突出部とが形成される。
【０１０５】  さらに、実施の形態４に係る冷蔵庫１では、右側面部側キャップ部３８ｃに凹部３８ａが設けられるがこれに限らない。例えば、右側面部側キャップ部３８ｃのうち開閉扉の前面部を構成する箇所に前面部側へ突出する突出部だけを設け、凹部３８ａは設けなくても構わない。この場合、突出部に操作部カバーが取り付けられ、右側面部側キャップ部の一部と突出部と操作部カバーとに囲まれた基板収納空間が形成される。このため、突出部と操作部カバーと共に基板収納空間を形成する右側面部側キャップ部の一部が操作部ケースに該当する。
【０１０６】  さらに、実施の形態４に係る冷蔵庫１の付加的な構成である、操作部ケースは前面板よりも前方へ突出する突出部３８ｅが形成され、基板収納空間９４は操作部ケースと突出部とカバー部材とに囲まれた空間であり、アンテナ部１１１は前面板よりも前方に位置する構成は、側面部側キャップ部の一部が操作部ケースである場合に限らず付加してもよい。例えば、当該付加的な構成は、実施の形態１のように、操作部ケースが側面部側キャップ部とは別に設ける場合でも付加しても良い。
【０１０７】  実施の形態５．  次に実施の形態５に係る冷蔵庫１について説明する。実施の形態５に係る冷蔵庫１は実施の形態１に係る冷蔵庫１と比較して、開閉扉３ａの構成が異なる。なお、実施の形態５に係る冷蔵庫１は開閉扉３ａを除く他の構成は実施の形態１に係る冷蔵庫１と同様であるため説明を省略する。
【０１０８】  図２１は、実施の形態５に係る冷蔵庫の開閉扉の背面図である。図２２は、実施の形態５に係る冷蔵庫の開閉扉の上面部側キャップ部の近傍の斜視図である。図２３は、実施の形態５に係る冷蔵庫の開閉扉の図２１におけるＩ−Ｉ断面を示す断面図である。開閉扉３ａは、操作部９と、無線通信装置１１と、前面板３１と、上面部側キャップ部３２と、下面部側キャップ部３３と、背面板３４と、発泡断熱材３５と、側面部側キャップ部３８と、を有する。ここで、下面部側キャップ部３３と、背面板３４と、発泡断熱材３５については、実施の形態１で説明した下面部側キャップ部３３と、背面板３４と、発泡断熱材３５と同様であるため説明を省略する。さらに、操作部９と、前面板３１と、側面部側キャップ部３８については、実施の形態３で説明した操作部９と、前面板３１と、側面部側キャップ部３８と同様であるため説明を省略する。
【０１０９】  上面部側キャップ部３２には、下面部側に窪んだ凹部３２ｂが形成される。凹部３２ｂは下面部側の面と前面部側の面を有し、断面線Ｉ−Ｉにおける断面形状が略Ｌ字形状である。ここで、凹部３２ｂの前面部側の面を凹部前面部３２ｃと称し、凹部３２ｂの下面部側の面を凹部下面部３２ｄと称する。また、凹部下面部３２ｄは上面部側キャップ部３２を貫通する貫通孔３２ｅが形成される。
【０１１０】  上面部側キャップ部３２には、凹部３２ｂを覆うように、上面部側キャップ部３２の一部である上面部側キャップ部カバー３２ｆが取り付けられる。上面部側キャップ部３２に上面部側キャップ部カバー３２ｆが取り付けられることにより、凹部３２ｂと操作部カバー９３ｆとに囲まれたアンテナ部収納空間３２ｇが形成される。ここで上面部側キャップ部３２と上面部側キャップ部カバー３２ｆは、それぞれ非導電性であり、例えば樹脂製である。
【０１１１】  また、開閉扉３ａには、発泡断熱材３５が配置される扉内空間３６が形成される。扉内空間３６とアンテナ部収納空間３２ｇとは貫通孔３２ｅを介して連通する。
【０１１２】  無線通信装置１１は、アンテナ部１１１と変復調部１１２と無線通信基板１１３を有する。なお、アンテナ部１１１と変復調部１１２と無線通信基板１１３とは、アンテナ部１１１が固定される位置を除き、実施の形態１のアンテナ部１１１と変復調部１１２と無線通信基板１１３と同様であるため、同様の部分については説明を省略する。
【０１１３】  アンテナ部１１１は、アンテナ部収納空間３２ｇの中に位置する。また、アンテナ部１１１は凹部前面部３２ｃに固定される。さらに、アンテナ部１１１の前方は前方に凹部前面部３２ｃによって覆われる。このため、凹部前面部３２ｃがカバー部材に該当する。
【０１１４】  また、変復調部１１２は無線通信基板１１３上に設けられるが、アンテナ部１１１は無線通信基板１１３上に設けられない。変復調部１１２が設けられた無線通信基板１１３は側面部側キャップ部３８の基板収納空間９４の中に位置する。また、無線通信基板１１３は凹部３８ａに固定される。
【０１１５】  さらに、操作部基板９１と無線通信基板１１３には、それぞれの基板を電気的に接続する配線が設けられる。
【０１１６】  ここで、アンテナ部１１１と、前面板３１と、凹部前面部３２ｃと、との位置関係について説明する。アンテナ部１１１は、アンテナ部収納空間３２ｇの中に位置する。このため、アンテナ部１１１は、冷蔵庫１を前方から見た場合に、前面板３１とは重ならない位置に固定される。また、アンテナ部１１１は、冷蔵庫１を前方から見た場合に、凹部前面部３２ｃと重なる位置に固定される。なお、冷蔵庫１を前方から見た場合とは、換言すると、前面板３１の前面板基部３１ｂに対して垂直な方向から見た場合である。
【０１１７】  次に接続線１０について説明する。接続線１０は無線通信装置接続線１０１と、霜取りヒーター接続線１０２と、アンテナ部接続線１０３より構成される。無線通信装置接続線１０１と霜取りヒーター接続線１０２については、無線通信装置１１の取付位置が変わったため無線通信装置接続線１０１の長さが短くなった点を除いて、実施の形態１の無線通信装置接続線１０１と霜取りヒーター接続線１０２と同様である。このため、実施の形態４の冷蔵庫においても、無線通信装置接続線１０１ならびに霜取りヒーター接続線１０２は扉内空間３６の内部に敷設される。
【０１１８】  アンテナ部接続線１０３は、アンテナ部１１１と変復調部１１２とを通信可能に接続する配線である。アンテナ部接続線１０３の一方の端部は制御装置８に接続され、他方の端部は無線通信基板１１３の変復調部１１２と電気的に接続される配線パターン又は変復調部１１２に接続される。アンテナ部接続線１０３は、アンテナ部収納空間３２ｇの内部と、貫通孔３２ｅと、扉内空間３６の内部に敷設される。
【０１１９】  また、無線通信装置接続線１０１、霜取りヒーター接続線１０２ならびにアンテナ部接続線１０３は固定部材１２によって前面板３１に固定される。
【０１２０】  以上のように実施の形態５に係る冷蔵庫１は、実施の形態１に係る冷蔵庫１と同じく、冷却対象を貯蔵する貯蔵空間２３が内部に形成され貯蔵空間２３の前方に開口が形成された筐体２と、貯蔵空間２３より前方に設けられ開口を開閉する扉（開閉扉３ａが該当）と、外部機器２００へ電波の送信または外部機器２００からの電波の受信を行い扉に固定されたアンテナ部１１１と、貯蔵空間２３に冷却された空気を供給する冷却装置５と、冷却装置５を制御し筐体２に固定された制御装置８と、アンテナ部１１１と制御装置８とを通信可能に接続する接続線１０と、を備え、扉は貯蔵空間２３の外部の空間と面し金属材料で形成された前面板３１と貯蔵空間２３の外部の空間と面し非導電性の材料で形成されたカバー部材（凹部前面部３２ｃが該当）とを有し、アンテナ部１１１は冷蔵庫１を前方から見た場合に前面板３１と重ならずカバー部材と重なる位置に固定される構成である。この構成によって、実施の形態５に係る冷蔵庫１は実施の形態１で述べた効果と同様の効果を奏する。
【０１２１】  また、実施の形態５に係る冷蔵庫１は、付加的な構成として、貯蔵空間２３の外部の空間と面し前面板３１の上方に設けられた上面部側キャップ部３２を有し、アンテナ部１１１は上面部側キャップ部３２の内部に位置する構成を有する。この付加的な構成によって、実施の形態３のように側面部側キャップ部３８の内部にアンテナ部１１１が位置する場合とは比較して、アンテナ部１１１の上方に前面板３１が位置しないため、より広い範囲に電波の送受信を行うことができる効果を奏する。
【０１２２】  実施の形態５に係る冷蔵庫１の変形例について説明する。
【０１２３】  実施の形態５に係る冷蔵庫１では、アンテナ部１１１がアンテナ部収納空間３２ｇの中に位置し、変復調部１１２と無線通信基板１１３は基板収納空間９４の中に位置するが、これに限らない。例えば、変復調部と無線通信基部をアンテナ部と同じくアンテナ部収納空間に収納しても構わない。例えば、変復調部と無線通信基板をアンテナ部収納空間に収納する場合、冷蔵庫１の構成は以下の部分が異なる。アンテナ部接続線１０３と、操作部基板９１と無線通信基板１１３を電気的に接続する配線と、貫通孔３２ｅが無くなる。冷蔵庫は、操作部と制御部を通信可能に接続する操作部接続線を備える。操作部接続線は、筐体２の上面部側の内箱２０と外箱２１の間と扉内空間３６の内部とに敷設される。無線通信装置接続線は、扉内空間３６の内部に敷設されず、上面部側キャップ部３２の内部に敷設される。
【０１２４】  なお、実施の形態１から実施の形態５において、カバー部材は操作部カバー９３、凹部前面部３２ｃが該当する例について説明したが、これに限らない。貯蔵空間の外部の空間と面し非導電性の材料で形成され、当該冷蔵庫を前方から見た場合にアンテナ部と重なる位置にある部材であれば、あらゆる部材がカバー部材に該当する。
【符号の説明】
【０１２５】１  冷蔵庫、２  筐体、３  開閉扉、３ａ  開閉扉、３ｂ  開閉扉、４  引き出し扉、５  冷却装置、６  ヒンジ部、７  運搬ハンドル、８  制御装置、９  操作部、１０  接続線、１１  無線通信装置、１２  固定部材、２０  内箱、２１  外箱、２２  断熱材、２３  貯蔵空間、２３ａ  冷蔵室、２３ｂ  製氷室、２３ｃ  切替室、２３ｄ  冷凍室、２３ｅ  野菜室、２４  冷却室空間、２５  仕切り部材、２６  制御装置収納部、２７  制御装置カバー、３１  前面板、３１ａ  前面板側部、３１ｂ  前面板基部、３１ｃ  穴部、３２  上面部側キャップ部、３２ａ  支持部、３２ｂ  凹部、３２ｃ  凹部前面部、３２ｄ  凹部下面部、３２ｅ  貫通孔、３２ｆ  上面部側キャップ部カバー、３２ｇ  アンテナ部収納空間、３３  下面部側キャップ部、３３ａ  支持部、３３ｂ  持ち手、３４  背面板、３５  発泡断熱材、３６  扉内空間、３７  真空断熱材、３８  側面部側キャップ部、３８ａ  凹部、３８ｂ  持ち手、３８ｃ  右側面部側キャップ部、３８ｄ  左側面部側キャップ部、３８ｅ  突出部、５１  圧縮機、５２  冷却器、５３  庫内ファン、５４  ダンパ、６１  ヒンジ金具、６２  ヒンジカバー、９１  操作部基板、９２  操作部ケース、９２ａ  中央部、９２ｂ  端部、９３  操作部カバー、９４  基板収納空間、１０１  無線通信装置接続線、１０２  霜取りヒーター接続線、１０３  アンテナ部接続線、１１１  アンテナ部、１１２  変復調部、１１３  無線通信基板、２００  外部機器。
【図１】
2021024292.tif 000003
【図２】
2021024292.tif 000004
【図３】
2021024292.tif 000005
【図４】
2021024292.tif 000006
【図５】
2021024292.tif 000007
【図６】
2021024292.tif 000008
【図７】
2021024292.tif 000009
【図８】
2021024292.tif 000010
【図９】
2021024292.tif 000011
【図１０】
2021024292.tif 000012
【図１１】
2021024292.tif 000013
【図１２】
2021024292.tif 000014
【図１３】
2021024292.tif 000015
【図１４】
2021024292.tif 000016
【図１５】
2021024292.tif 000017
【図１６】
2021024292.tif 000018
【図１７】
2021024292.tif 000019
【図１８】
2021024292.tif 000020
【図１９】
2021024292.tif 000021
【図２０】
2021024292.tif 000022
【図２１】
2021024292.tif 000023
【図２２】
2021024292.tif 000024
【図２３】
2021024292.tif 000025
【国際調査報告】
2021024292.tif 000026
2021024292.tif 000027
2021024292.tif 000028
2021024292.tif 000029